(57)【要約】【課題】必要な時刻に必要な業務予定、業務内容を作業員に通知することができる充電器、端末装置、ガイダンス通知システムを得る。【解決手段】使用者が携帯する端末装置４と、端末装置４が装着されたことを検出する検出部５３と、検出部５３の検出に応答してデータサーバ装置２から端末装置４の使用者の行動予定、行動内容を含むガイダンス情報を取得するインタフェース装置３と、ガイダンス情報を端末装置４に送信する送信用インタフェース部５６とを備えた充電器５とを備え、端末装置４が、充電器５から送信されたガイダンス情報に基づいて、使用者に対して行動予定、行動内容の通知を行う。【選択図】        図１
2004349028.tif 000002
【特許請求の範囲】
【請求項１】
端末装置が装着されたことを検出する検出手段と、
前記検出手段の検出に応答して外部の指令装置から前記端末装置の使用者の行動予定、行動内容を含むガイダンス情報を取得する受信用インタフェース手段と、
前記ガイダンス情報を前記端末装置に送信する送信用インタフェース手段とを備えた充電器。
【請求項２】
検出手段が端末装置の識別情報を取得し、受信用インタフェース手段が前記識別情報に基づいて外部の指令装置からガイダンス情報を取得することを特徴とする請求項１記載の充電器。
【請求項３】
使用者の位置を特定する位置特定器と、
前記使用者の行動予定、行動内容を含むガイダンス情報を外部の指令装置から取得する受信用インタフェース手段と、
前記ガイダンス情報を保存する記憶手段と、
前記位置特定器が特定する位置と、前記記憶手段が保存するガイダンス情報に含まれる使用者の行動予定場所とを比較し、前記位置が前記行動予定場所に含まれる場合は前記使用者に対して行動予定、行動内容の通知を行う比較通知手段とを備えた端末装置。
【請求項４】
使用者が携帯する端末装置と、
前記端末装置が装着されたことを検出する検出手段と、前記検出手段の検出に応答して外部の指令装置から前記端末装置の使用者の行動予定、行動内容を含むガイダンス情報を取得する受信用インタフェース手段と、前記ガイダンス情報を前記端末装置に送信する送信用インタフェース手段とを備えた充電器とを備え、前記端末装置が、前記充電器から送信されたガイダンス情報に基づいて、前記使用者に対して行動予定、行動内容の通知を行うガイダンス通知システム。
【請求項５】
ガイダンス情報が使用者の業務予定、業務内容に関する業務ガイダンス情報であることを特徴とする請求項４記載のガイダンス通知システム。
【請求項６】
端末装置が、使用者の位置を特定する位置特定器を搭載し、前記位置がガイダンス情報が有するガイダンスの通知を行う場所に含まれるときに、前記使用者に対してガイダンス情報の通知を行うことを特徴とする請求項４または請求項５記載のガイダンス通知システム。
【請求項７】
端末装置が、少なくとも音、振動、光、文字によって使用者にガイダンスの通知を行う通知器を備えたことを特徴とする請求項４から請求項６記載のうちのいずれか１項記載のガイダンス通知システム。
【発明の詳細な説明】
【０００１】
【発明の属する技術分野】
この発明は、端末装置が備える使用者の行動予定、行動内容、例えば、業務予定、業務内容等を自動的に更新し、使用者に通知する充電器、端末装置、ガイダンス通知システムに関するものである。
【０００２】
【従来の技術】
ガイダンス通知システムは、例えば、作業員が業務予定、業務内容等の業務ガイダンス情報を備える端末装置を携帯し、この端末装置が指定された時刻に行うべき業務内容を作業員に音声メッセージで通知することによって、作業員が常に時間を気にしなければならないという負担を減らしたり、作業を忘れてしまうことを防いだりするためのものである。
【０００３】
従来のガイダンス通知システムでは、作業員または作業管理者が設定装置を用いて端末装置に月間、週間等の業務予定、業務内容を登録し、端末装置が登録された業務内容等を作業員に対して通知していた。例えば、特許文献１はこの種のガイダンス通知システムを開示している。
【０００４】
【特許文献１】
特開平６−３２５０４０号公報（第２−３頁、第２図）
【０００５】
【発明が解決しようとする課題】
従来のガイダンス通知システムでは上記のような方法で端末装置への業務内容等の登録を行っていたので、端末装置に登録されている業務予定、業務内容についてはガイダンス通知を行うことができるが、登録されていない業務予定、例えば、定例外の作業や日常の流動的な作業等については、必要な時刻に必要な業務内容を通知することができないという課題があった。
【０００６】
この発明は上記のような課題を解決するためになされたもので、必要な時刻に必要な業務予定、業務内容を作業員に通知することができる充電器、端末装置、ガイダンス通知システムを得ることを目的とする。
【０００７】
【課題を解決するための手段】
この発明に係る充電器は、端末装置が装着されたことを検出する検出手段と、検出手段の検出に応答して外部の指令装置から端末装置の使用者の行動予定、行動内容を含むガイダンス情報を取得する受信用インタフェース手段と、ガイダンス情報を端末装置に送信する送信用インタフェース手段とを備えたものである。
【０００８】
この発明に係る端末装置は、使用者の位置を特定する位置特定器と、使用者の行動予定、行動内容を含むガイダンス情報を外部の指令装置から取得する受信用インタフェース手段と、ガイダンス情報を保存する記憶手段と、位置特定器が特定する位置と、記憶手段が保存するガイダンス情報に含まれる使用者の行動予定場所とを比較し、位置が行動予定場所に含まれる場合は使用者に対して行動予定、行動内容の通知を行う比較通知手段とを備えたものである。
【０００９】
この発明に係るガイダンス通知システムは、使用者が携帯する端末装置と、端末装置が装着されたことを検出する検出手段と、検出手段の検出に応答して外部の指令装置から端末装置の使用者の行動予定、行動内容を含むガイダンス情報を取得する受信用インタフェース手段と、ガイダンス情報を端末装置に送信する送信用インタフェース手段とを備えた充電器とを備え、端末装置が、充電器から送信されたガイダンス情報に基づいて、使用者に対して行動予定、行動内容の通知を行うものである。
【００１０】
【発明の実施の形態】
以下、この発明の様々な実施の形態を説明する。
実施の形態１．
図１はこの発明の実施の形態１によるガイダンス通知システムのブロック図である。図に示すように、ガイダンス通知システムは、パソコン１、データサーバ装置（指令装置）２、インタフェース装置（受信用インタフェース手段）３、端末装置４、充電器５を備える。パソコン１はデータサーバ装置２に接続され、作業員または作業管理者から月間、週間等の業務予定および業務内容が入力される。データサーバ装置２はパソコン１から入力された月間、週間等の業務予定および業務内容を保存する。端末装置４は、例えば携帯電話、ＰＤＡ（Ｐｅｒｓｏｎａｌ  Ｄｉｇｉｔａｌ  Ａｓｓｉｓｔａｎｔ）である。
【００１１】
インタフェース装置３は、データサーバ装置２が保存する情報を各端末装置４に登録するためのデータ形式に変換し、各充電器５に供給する。各充電器５は各端末装置４を充電すると共に、データサーバ装置２から供給されたデータを各端末装置４に供給する。端末装置４は、工事現場、運送現場等で働く作業員が作業中に携帯するものであり、作業員の識別情報を有する。
【００１２】
図２は充電器５のブロック図である。図に示すように、充電器５は、給電部５１、充電部５２、検出部（検出手段）５３、記憶部５４、ＣＰＵ５５、送信用インタフェース部（送信用インタフェース手段）５６を備える。また、図３はこのガイダンス通知システムの動作を示すフローチャートである。図２、図３を参照してガイダンス通知システムの動作について説明する。
【００１３】
作業員または作業管理者は、パソコン１から月間、週間等の業務予定および業務内容の最新の情報を入力する（ステップＳＴ１００）。パソコン１は入力された情報を取得し、データサーバ装置２に登録または更新する（ステップＳＴ１０１）。作業員は、端末装置４を使用しないときは電源を切って充電器５に装着しておく。充電器５の検出部５３は、端末装置４が充電器５に装着されたことを検出し、その旨を充電部５２に通知する。充電部５２は端末装置４を充電する（ステップＳＴ１０２）。充電部５２には、電源から供給される交流電流が給電部５１によって直流電流に変換されて供給されている。
【００１４】
検出部５３はまた、端末装置４が充電器５に装着されたことを検出すると、端末装置４の識別情報を取得し、ＣＰＵ５５に通知する。ＣＰＵ５５は、インタフェース装置３に対して、取得した識別情報に基づく業務予定および業務内容の最新の情報をデータサーバ装置２から取得する要求を出す。インタフェース装置３は、データサーバ装置２に識別情報を通知すると、データサーバ装置２はこの識別情報に基づく業務予定、業務内容を抽出する。インタフェース装置３は、これらの情報を取得して充電器５に送信する。充電器５は業務予定および業務内容を記憶部５４に保存する。さらに、ＣＰＵ５５は記憶部５４に保存された情報を端末装置４に送信するように送信用インタフェース装置５６に要求する。送信用インタフェース装置５６は、前記要求に基づいて業務予定および業務内容を端末装置４に送信する。端末装置４はこれらの情報に基づいて業務予定および業務内容の登録または更新を行う（ステップＳＴ１０３）。
【００１５】
端末装置４の充電および業務予定、業務内容の登録または更新が完了すると（ステップＳＴ１０４）、作業員は端末装置４に電源を投入する（ステップＳＴ１０５）。端末装置４は充電および業務予定、業務内容の登録または更新が完了したことを作業員に通知するようにしてもよい。
【００１６】
端末装置４は電源が投入されると、業務予定、業務内容に従って作業員に業務ガイダンスを音声で通知する（ステップＳＴ１０６）。また、作業員または作業管理者は業務ガイダンスの通知を行いたい時刻をデータサーバ装置２に登録しておき、この登録に応じて端末装置４が当該時刻に業務予定、業務内容を通知するようにしてもよい。
【００１７】
作業員は作業を終了すると（ステップＳＴ１０７）、端末装置４の電源を切って充電器５に装着しておく（ステップＳＴ１０２）。以降、上記の処理を繰り返す。作業員は適宜パソコン１からデータサーバ装置２に最新の業務予定、業務内容を登録する。
【００１８】
以上のように、この実施の形態１によれば、充電器５が端末装置４が装着されたことを検出し、インタフェース装置３を介してデータサーバ装置２の業務予定、業務内容を取得して端末装置４に登録するようにしたので、端末装置４は作業者に対して最新の業務予定、業務内容を音声通知することができ、作業の効率化が図れるという効果が得られる。
【００１９】
なお、パソコン１とデータサーバ装置２は１つの装置であってもよい。また、インタフェース装置３は充電器５に内蔵されるようにしてもよい。
【００２０】
実施の形態２．
図４は、この発明の実施の形態２によるガイダンス通知システムのブロック図である。図において、図１と共通する要素には同一符号を付し、その説明を省略する。この実施の形態２に係る端末装置４はＧＰＳ（Ｇｌｏｂａｌ  Ｐｏｓｉｔｉｏｎｉｎｇ  Ｓｙｓｔｅｍ）受信機（位置特定器）６を搭載する。端末装置４は、作業員に使用される際はＧＰＳ受信機６によって当該端末装置４の位置を常に受信している。
【００２１】
この実施の形態２において、作業員または作業管理者はパソコン１から業務予定および業務内容と共に、業務ガイダンスの音声通知を行いたい場所を設定する。実施の形態１と同様に、充電器５は端末装置４を充電する間に作業予定および作業内容を登録または更新する。またこのとき、充電器５は端末装置４に業務ガイダンスの音声通知を行う場所も登録する。
【００２２】
図５は端末装置４のブロック図である。図に示すように、端末装置４は受信用インタフェース部（受信用インタフェース手段）４１、記憶部（記憶手段）４２、比較部（比較通知手段）４３、スピーカ（比較通知手段）４４を備える。受信用インタフェース部４１は、充電器５から業務予定、業務内容および業務ガイダンスの音声通知を行う場所を受信し、記憶部４２に格納する。比較部４３は、記憶部４２に格納される業務ガイダンスの音声通知を行う場所を抽出し、ＧＰＳ受信機６が受信した位置と比較する。前記位置が業務ガイダンスの音声通知を行う場所に含まれる場合には、記憶部４２から業務予定、業務内容を抽出してスピーカ４４に供給する。スピーカ４４は作業者に対して業務予定、業務内容を音声通知する。また、作業員は業務ガイダンスの通知を行いたい時刻を設定しておくことによって、業務ガイダンスの通知を行いたい場所、時刻において業務予定、業務内容を通知するようにしてもよい。
【００２３】
以上のように、この実施の形態２によれば、端末装置４がＧＰＳ受信機６を搭載するようにしたので、作業員に対して業務ガイダンスの通知を行いたい場所で業務予定、業務内容の通知を行うことができる。
【００２４】
なお、端末装置４はＧＰＳ受信機６の代わりに準天頂衛星通信システム受信機を搭載してもよい。
【００２５】
実施の形態３．
図６は、この発明の実施の形態３によるガイダンス通知システムのブロック図である。図において、図４と共通する要素には同一符号を付し、その説明を省略する。この実施の形態３に係る端末装置４は通知器７を備える。
【００２６】
通知器７は、ＬＥＤ（Ｌｉｇｈｔ  Ｅｍｉｔｔｉｎｇ  Ｄｉｏｄｅ）等を使用した光による通知、ＬＣＤ（Ｌｉｑｕｉｄ  Ｃｒｙｓｔａｌ  Ｄｉｓｐｌａｙ）等を使用した文字による通知を行うことができる。また、モータ機能を備え、振動によって作業員に通知することもできる。音声による通知を行わず、通知器７による通知のみを行うようにしてもよい。
【００２７】
以上のように、この実施の形態３によれば、端末装置４が通知器７を備えるようにしたので、作業員は音声による通知の他に、光、文字、振動による通知を受けることができ、使用環境に適した通知方法を選択することができる。
【００２８】
【発明の効果】
以上のように、この発明によれば、ガイダンス通知システムは、使用者が携帯する端末装置と、端末装置が装着されたことを検出する検出手段と、検出手段の検出に応答して外部の指令装置から端末装置の使用者の行動予定、行動内容を含むガイダンス情報を取得する受信用インタフェース手段と、ガイダンス情報を端末装置に送信する送信用インタフェース手段とを備えた充電器とを備え、端末装置が、充電器から送信されたガイダンス情報に基づいて、使用者に対して行動予定、行動内容の通知を行うように構成したので、必要な時刻に必要な業務予定、業務内容を作業員に通知することができる効果がある。
【図面の簡単な説明】
【図１】この発明の実施の形態１によるガイダンス通知システムのブロック図である。
【図２】同実施の形態１に係る充電器のブロック図である。
【図３】同実施の形態１によるガイダンス通知システムの動作を示すフローチャートである。
【図４】同実施の形態２によるガイダンス通知システムのブロック図である。
【図５】同実施の形態２に係る端末装置のブロック図である。
【図６】同実施の形態３によるガイダンス通知システムのブロック図である。
【符号の説明】
１  パソコン、２  データサーバ装置（指令装置）、３  インタフェース装置（受信用インタフェース部）、４  端末装置、５  充電器、６  ＧＰＳ受信機（位置特定器）、７  通知器、４１  受信用インタフェース部（受信用インタフェース手段）、４２  記憶部（記憶手段）、４３  比較部（比較通知手段）、４４スピーカ（比較通知手段）、５１  給電部、５２  充電部、５３  検出部（検出手段）、５４  記憶部（記憶手段）５５  ＣＰＵ、５６  送信用インタフェース部（送信用インタフェース手段）。
【図１】
2004349028.tif 000003
【図２】
2004349028.tif 000004
【図３】
2004349028.tif 000005
【図４】
2004349028.tif 000006
【図５】
2004349028.tif 000007
【図６】
2004349028.tif 000008